(57)【要約】【課題】第ｎトナーの補充後、シートＴにシート画像を迅速に形成することが可能な画像形成装置を提供する。【解決手段】画像形成装置１００は、収容部４と、画像形成部６と、制御部１４ｂとを備える。シートＴに対しシート画像を形成するジョブを制御部１４ｂが実行する際、第ｎトナーが不足していると、画像形成部６が充足トナーを消費してシートＴに充足画像を形成するように、制御部１４ｂが画像形成部６を制御する。充足画像が形成されたシートＴを示す特定シートに対し不足画像を形成するジョブを制御部１４ｂが実行する際、第ｎトナーが補充されており、さらに、特定シートが収容部４に収容されていると、画像形成部６が第ｎトナーを消費して特定シートに不足画像を形成するように、制御部１４ｂが画像形成部６を制御する。【選択図】図５
2019124779.tif 000002
【特許請求の範囲】
【請求項１】
シートにカラーの画像を形成可能な画像形成装置であって、
シートを収容可能な収容部と、
第１消耗品〜第Ｎ（Ｎは、２以上の整数）消耗品を消費して、シートに画像を形成する画像形成部と、
前記第１消耗品〜前記第Ｎ消耗品の各々の残量を検出する検出部と、
前記検出部の検出結果に基づいて、前記第１消耗品〜前記第Ｎ消耗品の各々が不足しているか否かを判定する判定部と、
前記画像形成部を制御する制御部と
を備え、
シートに対しシート画像を形成するジョブを前記制御部が実行する際、第ｎ（ｎは、１以上Ｎ以下の少なくとも１つの整数）消耗品が不足していると、前記画像形成部が充足消耗品を消費してシートに充足画像を形成するように、前記制御部が前記画像形成部を制御し、
前記充足画像が形成されたシートを示す特定シートに対し不足画像を形成するジョブを前記制御部が実行する際、前記第ｎ消耗品が補充されており、さらに、前記特定シートが前記収容部に収容されていると、前記画像形成部が前記第ｎ消耗品を消費して前記特定シートに前記不足画像を形成するように、前記制御部が前記画像形成部を制御し、
前記充足消耗品は、前記第１消耗品〜前記第Ｎ消耗品のうち前記第ｎ消耗品以外の消耗品を示し、
前記充足画像は、前記シート画像のうち前記充足消耗品を消費して形成される部分の画像を示し、
前記不足画像は、前記シート画像のうち前記第ｎ消耗品を消費して形成される部分の画像を示す、画像形成装置。
【請求項２】
前記画像形成装置に対する指示を受け付ける入力部と、
表示部と
をさらに備え、
前記収容部に前記特定シートが収容されたことを示す情報を前記入力部が受け付けると、前記収容部を使用できないことを示す情報を前記表示部が表示するように、前記制御部が前記表示部を制御する、請求項１に記載の画像形成装置。
【請求項３】
前記画像形成装置に対する指示を受け付ける入力部と、
対応情報を記憶する記憶部と、
をさらに備え、
前記対応情報は、複数の前記不足画像を示す第１不足画像〜第Ｍ（Ｍは２以上の整数）不足画像と、第１パスワード〜第Ｍパスワードとをそれぞれ対応付けた情報を示し、
前記第１不足画像〜前記第Ｍ不足画像は、それぞれ、複数の前記特定シートを示す第１特定シート〜第Ｍ特定シートに対応し、
第ｍ（ｍは１以上Ｍ以下の整数）特定シートに対し第ｍ不足画像を形成するジョブを前記制御部が実行する際、前記第ｎ消耗品が補充されており、さらに、前記第ｍ特定シートが前記収容部に収容されていると、前記入力部が第ｍパスワードの入力を受け付けることで、前記画像形成部が前記第ｍ特定シートに前記第ｍ不足画像を形成するように、前記制御部が前記画像形成部を制御する、請求項１に記載の画像形成装置。
【請求項４】
シートを収容可能な収容部と、
第１消耗品〜第Ｎ（Ｎは、２以上の整数）消耗品を消費して、シートに画像を形成する画像形成部と、
前記第１消耗品〜前記第Ｎ消耗品の各々の残量を検出する検出部と、
前記検出部の検出結果に基づいて、前記第１消耗品〜前記第Ｎ消耗品の各々が不足しているか否かを判定する判定部と、
前記画像形成部を制御する制御部と
を備え、
シートに対しシート画像を形成するジョブを前記制御部が実行する際、第ｎ（ｎは、１以上Ｎ以下の少なくとも１つの整数）消耗品が不足していると、前記画像形成部が充足消耗品を消費してシートに充足画像を形成するように、前記制御部が前記画像形成部を制御し、
前記充足画像が形成されたシートを示す特定シートに対し不足画像を形成するジョブを前記制御部が実行する際、前記充足画像が形成されてから所定時間が経過しておらず、前記第ｎ消耗品が補充されており、さらに、前記特定シートが前記収容部に収容されていると、前記画像形成部が前記第ｎ消耗品を消費して前記特定シートに前記不足画像を形成するように、前記制御部が前記画像形成部を制御し、
前記特定シートに対し前記不足画像を形成するジョブを前記制御部が実行する際、前記充足画像が形成されてから所定時間が経過しており、さらに、前記特定シートが前記収容部に収容されていると、前記画像形成部が前記充足消耗品に含まれる複数の消耗品を合成して前記第ｎ消耗品の疑似色を発色する疑似消耗品を生成し、前記疑似消耗品を消費して前記特定シートに前記不足画像を形成するように、前記制御部が前記画像形成部を制御し、
前記充足消耗品は、前記第１消耗品〜前記第Ｎ消耗品のうち前記第ｎ消耗品以外の消耗品を示し、
前記充足画像は、前記シート画像のうち前記充足消耗品を消費して形成される部分の画像を示し、
前記不足画像は、前記シート画像のうち前記第ｎ消耗品を消費して形成される部分の画像を示す、画像形成装置。
【請求項５】
シートにカラーの画像を形成可能な画像形成装置であって、
シートを収容可能な収容部と、
第１消耗品〜第Ｎ（Ｎは、２以上の整数）消耗品を消費して、シートに画像を形成する画像形成部と、
前記第１消耗品〜前記第Ｎ消耗品の各々の残量を検出する検出部と、
前記検出部の検出結果に基づいて、前記第１消耗品〜前記第Ｎ消耗品の各々が不足しているか否かを判定する判定部と、
前記画像形成部を制御する制御部と
を備え、
シートに対しシート画像を形成するジョブを前記制御部が実行する際、第ｎ（ｎは、１以上Ｎ以下の少なくとも１つの整数）消耗品が不足していると、前記画像形成部が充足消耗品と疑似消耗品とを消費して、シートに充足画像と第１画像とを形成するように、前記制御部が前記画像形成部を制御し、
前記充足画像と前記第１画像とが形成されたシートを示す画像特定シートに対し第２画像を形成するジョブを前記制御部が実行する際、前記第ｎ消耗品が補充されており、さらに、前記画像特定シートが前記収容部に収容されていると、前記画像形成部が前記第ｎ消耗品を消費して前記画像特定シートに前記第２画像を形成するように、前記制御部が前記画像形成部を制御し、
前記充足消耗品は、前記第１消耗品〜前記第Ｎ消耗品のうち前記第ｎ消耗品以外の消耗品を示し、
前記充足画像は、前記シート画像のうち前記充足消耗品を消費して形成される部分の画像を示し、
前記疑似消耗品は、前記充足消耗品に含まれる複数の消耗品が合成され、前記第ｎ消耗品の疑似色を発色する消耗品を示し、
前記第１画像は、不足画像のうち前記充足画像から所定の距離だけ離間した場所に位置する境界の内側、及び前記境界上に形成される画像を示し、
前記第２画像は、前記不足画像のうち前記境界の外側に形成される画像を示し、
前記不足画像は、前記シート画像のうち前記第ｎ消耗品を消費して形成される部分の画像を示す、画像形成装置。
【請求項６】
前記画像形成部を通過したシートを前記画像形成部に戻す案内部と、
前記案内部を搬送されるシートを溜める中間トレイと
をさらに備え、
前記収容部は、前記中間トレイを示す、請求項１から請求項５のいずれか１項に記載の画像形成装置。
【請求項７】
前記第ｎ消耗品は黒色を発色する消耗品であり、
前記充足消耗品は黒色以外の色を発色する消耗品である、請求項１から請求項６に記載の画像形成装置。
【発明の詳細な説明】
【技術分野】
【０００１】
本発明は、画像形成装置に関する。
【背景技術】
【０００２】
特許文献１に記載の印刷制御装置は、障害検知手段と、選択手段と、駆動手段とを備える。障害検知手段は、印刷処理を実行中の印刷装置において発生したトナー不足のような障害を検知する。選択手段は、障害が発生した印刷装置を代替する代替用印刷装置を選択する。駆動手段は、選択手段が選択した代替用印刷装置に印刷処理を代替させる。
【先行技術文献】
【特許文献】
【０００３】
【特許文献１】特開平０９−７３３７６号公報
【発明の概要】
【発明が解決しようとする課題】
【０００４】
しかし、一般に、不足したトナー（第ｎトナー）が補充された後、印刷をやり直す際、補充されたトナーを含め、印刷に必要な全ての色のトナーがシートに吐出され、シートに画像（シート画像）が形成される。従って、印刷に必要な全ての色のトナーが吐出されるので、印刷のやり直しに時間がかかるおそれがあった。
【０００５】
本発明は、第ｎトナーの補充後、シートにシート画像を迅速に形成することが可能な画像形成装置を提供することを目的としている。
【課題を解決するための手段】
【０００６】
本発明の一局面によれば、画像形成装置は、シートにカラーの画像を形成可能である。画像形成装置は、収容部と、画像形成部と、検出部と、判定部と、制御部とを備える。収容部は、シートを収容可能である。画像形成部は、第１消耗品〜第Ｎ（Ｎは、２以上の整数）消耗品を消費して、シートに画像を形成する。検出部は、前記第１消耗品〜前記第Ｎ消耗品の各々の残量を検出する。判定部は、前記検出部の検出結果に基づいて、前記第１消耗品〜前記第Ｎ消耗品の各々が不足しているか否かを判定する。制御部は、前記画像形成部を制御する。シートに対しシート画像を形成するジョブを前記制御部が実行する際、第ｎ（ｎは、１以上Ｎ以下の少なくとも１つの整数）消耗品が不足していると、前記画像形成部が充足消耗品を消費してシートに充足画像を形成するように、前記制御部が前記画像形成部を制御する。前記充足画像が形成されたシートを示す特定シートに対し不足画像を形成するジョブを前記制御部が実行する際、前記第ｎ消耗品が補充されており、さらに、前記特定シートが前記収容部に収容されていると、前記画像形成部が前記第ｎ消耗品を消費して前記特定シートに前記不足画像を形成するように、前記制御部が前記画像形成部を制御する。前記充足消耗品は、前記第１消耗品〜前記第Ｎ消耗品のうち前記第ｎ消耗品以外の消耗品を示す。前記充足画像は、前記シート画像のうち前記充足消耗品を消費して形成される部分の画像を示す。前記不足画像は、前記シート画像のうち前記第ｎ消耗品を消費して形成される部分の画像を示す。
【発明の効果】
【０００７】
本発明によれば、第ｎトナーの補充後、シートにシート画像を迅速に形成することができる。
【図面の簡単な説明】
【０００８】
【図１】画像形成装置の模式的断面図である。
【図２】画像形成装置を示すブロック図である。
【図３】制御装置の第１の動作を示すフロー図である。
【図４】制御装置の第２の動作を示すフロー図である。
【図５】制御装置の第３の動作を示すフロー図である。
【図６】対応情報を示す図である。
【図７】制御装置の第４の動作を示すフロー図である。
【図８】制御装置の第５の動作を示すフロー図である。
【図９】制御装置の第６の動作を示すフロー図である。
【図１０】画像特定シートを示す図である。
【図１１】制御装置の第７の動作を示すフロー図である。
【発明を実施するための形態】
【０００９】
本発明の実施形態について、図面を参照しながら説明する。なお、図中、同一又は相当部分については同一の参照符号を付して説明を繰り返さない。
【００１０】
［第１実施形態］
図１を参照して、本発明の第１実施形態を示す画像形成装置１００について説明する。図１は、画像形成装置１００の模式的断面図である。
【００１１】
図１に示すように、画像形成装置１００は、第１搬送部１と、入力部２と、読取部３と、カセット４と、第２搬送部５と、画像形成部６と、定着部１０と、排出部１１とを備える。
【００１２】
第１搬送部１は、読み取り対象の画像が形成されたシートを、読取部３に向けて搬送する。読取部３は、シートを走査して、画像データを取得する。読取部３は、例えば、ＣＩＳ（Ｃｏｎｔａｃｔ  Ｉｍａｇｅ  Ｓｅｎｓｏｒ）である。読取部３は、例えば、ＬＥＤ（Ｌｉｇｈｔ  Ｅｍｉｔｔｉｎｇ  Ｄｉｏｄｅ）のような発光部と、イメージセンサーのような画像撮像部とを含む。発光部、及び画像撮像部によって、シートに形成された画像が走査される。入力部２は、表示部２ａと、操作キー群２ｂとを含む。入力部２は、画像形成装置１００に対するユーザーからの指示を受け付ける。表示部２ａは、タッチパネルとして機能する。この場合、入力部２は、タッチパネルを含む。
【００１３】
カセット４は、シートＴを収容するカセット４は、本発明の収容部の一例である。第１実施形態では、カセット４は、第１カセット４ａと、第２カセット４ｂとを含む。シートＴは、例えば、普通紙、再生紙、薄紙、厚紙、又はＯＨＰ（Ｏｖｅｒｈｅａｄ  Ｐｒｏｊｅｃｔｏｒ）シートである。
【００１４】
第２搬送部５は、カセット４に収容されているシートＴを画像形成部６に向けて搬送する。第２搬送部５は、給送ローラー５ａと、搬送ローラー５ｂと、駆動源とを含む。給送ローラー５ａは、カセット４内のシートＴを送出する。搬送ローラー５ｂは、給送ローラー５ａから搬送されたシートＴを、画像形成部６に向けて送出する。駆動源は、給送ローラー５ａ、及び搬送ローラー５ｂの各々を回転させる。駆動源は、例えば、モーター、及びギアを含む。
【００１５】
画像形成部６は、シートＴに画像を形成する。画像は、具体的には、カラーのトナー画像を示す。画像形成部６は、複数の装着部７と、複数の画像形成ユニット８と、転写部９とを有する。
【００１６】
複数の装着部７には、それぞれ、複数の交換部品αが装着される。第１実施形態では、複数の装着部７は、第１装着部７Ａ〜第Ｎ装着部７Ｎを含む。Ｎは、２以上の整数である。なお、本実施形態では、画像形成部６は、４つの装着部７を有する。
【００１７】
第１装着部７Ａ〜第Ｎ装着部７Ｎには、それぞれ、第１交換部品αＡ〜第Ｎ交換部品αＮが装着される。第１交換部品αＡ〜第Ｎ交換部品αＮには、それぞれ、第１トナー〜第Ｎトナーが収容される。第１トナー〜第Ｎトナーは、本発明の消耗品の一例である。第１トナー〜第Ｎトナーは、互いに異なる色を有する。第１実施形態では、イエローのトナー、マゼンタのトナー、シアンのトナー、及びブラックのトナーが用いられる。
【００１８】
複数の画像形成ユニット８は、第１画像形成ユニット８Ａ〜第Ｎ画像形成ユニット８Ｎを含む。第１画像形成ユニット８Ａ〜第Ｎ画像形成ユニット８Ｎには、それぞれ、第１トナー〜第Ｎトナーが供給される。複数の画像形成ユニット８の各々は、感光体ドラムと、帯電部と、露光部と、現像部とを含む。帯電器は、感光体ドラムの周面を帯電させる。露光器は、帯電器によって帯電された感光体ドラムの周面に、レーザー光を照射する。レーザー光は、画像データに基づいて生成される。その結果、感光体ドラムの周面には、画像データに対応する静電潜像が形成される。画像データは、例えば、読取部３、又は、パーソナルコンピューターのような外部装置から取得される。
【００１９】
現像器は、静電潜像が形成された感光体ドラムの周面にトナーを供給する。交換部品αは、現像器へトナーを供給する。現像器がトナーを感光体ドラムに供給すると、感光体ドラムの周面に形成された静電潜像が現像される。その結果、感光体ドラムの周面には、トナーを使用した画像が形成される。なお、感光体ドラムの周面には、画像形成ユニット８毎に互いに異なる色の画像が形成される。
【００２０】
転写部９は、転写ベルト９ａと、２次転写ローラー対９ｂとを有する。転写ベルト９ａには、複数の感光体ドラムの各々の周面に形成された画像が１次転写される。なお、転写ベルト９ａには、複数の感光体ドラムの各々から互いに異なる色の画像が順次重ねられることで、カラーの画像が形成される。転写ベルト９ａに１次転写された画像は、シートＴが２次転写ローラー対９ｂの間のニップ部を通過する際、シートＴに２次転写される。その結果、シートＴに画像が形成される。
【００２１】
なお、画像形成部６は、第１実施形態のように複数の感光体ドラムを用いるタンデム式の装置であってもよく、単数の感光体ドラムを用いるロータリー式の装置であってもよい。また、画像形成部６は、複数のノズルを有し、複数のノズルの各々から互いに異なる色のインクを吐出して、シートＴに画像を形成してもよい。この場合、インクが、本発明の消耗品の一例になる。
【００２２】
定着部１０は、画像を加熱及び加圧してシートＴに定着させる。
【００２３】
排出部１１は、画像形成部６を通過したシートＴを、排出トレイへ排出する。排出トレイは、画像形成装置１００の筐体の外部に配置される。排出部１１は、例えば、排出ローラーと、排出ローラーを回転させる駆動源とを含む。駆動源は、例えば、モーター、及びギアを含む。
【００２４】
次に、図２を参照して、画像形成装置１００についてさらに説明する。図２は、画像形成装置１００を示すブロック図である。
【００２５】
図２に示すように、画像形成装置１００は、検出部１２と、記憶部１３と、制御装置１４とをさらに備える。
【００２６】
検出部１２は、第１トナー〜第Ｎトナーの各々の残量を検出する。詳細には、検出部１２は、第ｐ装着部７ｐに装着中の第ｐ交換部品αｐに収容されている第ｐトナーの残量を検出する。ｐは、１以上、Ｎ以下の整数である。
【００２７】
検出部１２は、例えば、圧電素子を含むセンサーである。この場合、検出部１２は、第ｐ交換部品αｐ内の第ｐトナーに押圧されることで、ＨＩＧＨ信号を出力する。また、検出部１２の付近に第ｐトナーが存在しない場合は、検出部１２はＬＯＷ信号を出力する。その結果、検出部１２は、第ｐトナーの残量に応じた信号を出力し、第ｐトナーの残量を検出する。
【００２８】
記憶部１３は、記憶装置を含む。記憶装置は、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）のような主記憶装置（例えば、半導体メモリー）を含み、補助記憶装置（例えば、ハードディスクドライブ）をさらに含んでもよい。主記憶装置及び／又は補助記憶装置は、制御装置１４によって実行される種々のコンピュータープログラムを記憶する。
【００２９】
制御装置１４は、ＣＰＵ（Ｃｅｎｔｒａｌ  Ｐｒｏｃｅｓｓｉｎｇ  Ｕ１ｎｉｔ）及びＭＰＵ（Ｍｉｃｒｏ  Ｐｒｏｃｅｓｓｉｎｇ  Ｕ１ｎｉｔ）のようなプロセッサーを含む。制御装置１４は、画像形成装置１００の各要素を制御する。具体的には、制御装置１４のプロセッサーは、記憶装置に記憶されたコンピュータープログラムを実行することにより、第１搬送部１と、入力部２と、読取部３と、第２搬送部５と、画像形成部６と、定着部１０と、排出部１１と、検出部１２と、記憶部１３とを制御する。
【００３０】
制御装置１４は、判定部１４ａと、制御部１４ｂとを有する。具体的には、制御装置１４のプロセッサーが、記憶装置に記憶されたコンピュータープログラムを実行することにより、判定部１４ａ、及び制御部１４ｂとして機能する。
【００３１】
次に、図３を参照して、制御装置１４の第１の動作について説明する。図３は、制御装置１４の第１の動作を示すフロー図である。
【００３２】
図３に示すように、ステップＳ１００において、入力部２は、シートＴに対しシート画像を形成する画像形成ジョブの入力を受け付ける、
【００３３】
ステップＳ１１０において、判定部１４ａは、検出部１２から第１トナー〜第Ｎトナーの各々の残量を示す情報を取得する。そして、判定部１４ａは、検出部１２の検出結果に基づいて、第１トナー〜第Ｎトナーの各々が不足しているか否かを判定する。詳細には、判定部１４ａは、検出部１２の検出結果に基づいて、第１トナー〜第Ｎトナーの各々の残量が所定量以下であるか否かを判定する。所定量は、画像形成するジョブを実行する際に最低限必要な量を示す。
【００３４】
第ｎトナーの残量が所定量以下であり、第ｎトナーが不足していると判定部１４ａが判定すると（ステップＳ１１０で、Ｙｅｓ）、処理がステップＳ１２０に移行する。第ｎトナーの残量が所定量よりも多く、第ｎトナーが不足していないと判定部１４ａが判定すると（ステップＳ１１０で、Ｎｏ）、処理がステップＳ１３０に移行する。
【００３５】
ｎは、１以上Ｎ以下の少なくとも１つの整数である。つまり、第ｎトナーは、第１トナー〜第Ｎトナーのうちの少なくとも１つのトナーを示す。
【００３６】
ステップＳ１２０において、画像形成部６が充足トナーを消費してシートＴに充足画像を形成するように、制御部１４ｂが画像形成部６を制御する。その結果、シートＴに充足画像が形成される。なお、充足トナーは、第１トナー〜第Ｎトナーのうち第ｎトナー以外のトナーである。充足画像は、シート画像のうち充足トナーを消費して形成される部分の画像を示す。
【００３７】
シートＴは、充足画像を形成された後、排出部１１により排出トレイへ排出される。その結果、処理が終了する。なお、充足画像が形成されたシートＴを、特定シートと記載する。
【００３８】
ステップＳ１３０において、画像形成部６が第１トナー〜第Ｎトナーを消費してシートＴにシート画像を形成するように、制御部１４ｂが画像形成部６を制御する。その結果、シートＴにシート画像が形成される。
【００３９】
シートＴは、シート画像を形成された後、排出部１１により排出トレイへ排出される。その結果、処理が終了する。
【００４０】
次に、図４を参照して、制御装置１４の第２の動作について説明する。図４は、制御装置１４の第２の動作を示すフロー図である。過去に、ステップＳ１２０（図３参照）に示す処理が実行されており、特定シートが作成されていることを条件に、制御装置１４が第２の動作を行う。
【００４１】
図４に示すように、ステップＳ２００において、第１収容情報を入力部２が受け付ける。第１収容情報は、第１カセット４ａに特定シートが収容されたことを示す情報である。
【００４２】
例えば、ステップＳ１２０（図３参照）に示す処理が実行され、特定シートが排出トレイに排出された後、ユーザーは、排出トレイから特定シートを取り出し、第１カセット４ａに収容する。そして、ユーザーは、入力部２を介して第１収容情報を入力する。
【００４３】
ステップＳ２１０において、表示部２ａが第１使用禁止情報を表示するように、制御部１４ｂが表示部２ａを制御する。第１使用禁止情報は、第１カセット４ａを使用できないことを示す情報である。
【００４４】
なお、画像形成装置１００が外部のＰＣに接続され、ＰＣを介して画像形成装置１００に対する指示を入力することが入力可能な場合、ＰＣのモニターに第１使用禁止情報が表示されてもよい。
【００４５】
また、入力部２が第１収容情報を受け付けると、第１カセット４ａを使用できないようにしてもよい。この場合、例えば、ユーザーが、入力部２を操作して、シートＴを給送するカセット４に第１カセット４ａを指定できないようにする。
【００４６】
なお、ステップＳ２００において、第２収容情報を入力部２が受け付けた場合、ステップＳ２１０において、第２使用禁止情報が表示部２ａに表示される。第２収容情報は、第２カセット４ｂに特定シートが収容されたことを示す情報である。第２使用禁止情報は、第２カセット４ｂを使用できないことを示す情報である。
【００４７】
以下では、第１収容情報と第２収容情報とを総称して、収容情報と記載する。また、第１使用禁止情報と第２使用禁止情報とを総称して、使用禁止情報と記載する。
【００４８】
以上、図４を参照して説明したように、収容情報を入力部２が受け付けると、表示部２ａに使用禁止情報が表示される。従って、ユーザーは、表示部２ａを視認して、カセット４を使用できないことを認識することが可能になる。
【００４９】
次に、図５を参照して、制御装置１４の第３の動作について説明する。図５は、制御装置１４の第３の動作を示すフロー図である。過去に、ステップＳ１２０（図３参照）に示す処理が実行されており、特定シートが作成されていることを条件に、制御装置１４が第３の動作を行う。
【００５０】
図５に示すように、ステップＳ３００において、入力部２は、不足画像の短縮印刷のジョブの入力を受け付ける。不足画像の短縮印刷のジョブは、特定シートに対し不足画像を形成するジョブを示す。不足画像は、シート画像のうち第ｎトナーを消費して形成される部分の画像を示す。つまり、不足画像は、画像形成ジョブでシートＴに形成するように指示されたシート画像（ステップＳ１００参照）から充足画像（ステップＳ１２０参照）を除いた残りの部分の画像を示す。
【００５１】
ステップＳ３１０において、入力部２が過去に収容情報を受け付けたことがあるか否かを、制御部１４ｂが判定する。つまり、ステップＳ２００（図４参照）に示す処理が過去に行われたことがあるか否かを制御部１４ｂが判定する。
【００５２】
例えば、入力部２を介して情報が入力される毎に、情報の入力履歴が記憶部１３に記憶される。入力履歴に収容情報の入力を示す情報がある場合、入力部２が過去に収容情報を受け付けたことがあると制御部１４ｂが判定する。入力履歴に収容情報の入力を示す情報がない場合、入力部２が過去に収容情報を受け付けたことがないと制御部１４ｂが判定する。
【００５３】
なお、表示部２ａに使用禁止情報が表示されている場合、入力部２が過去に収容情報を受け付けたことがあると制御部１４ｂが判定してもよい。また、表示部２ａに使用禁止情報が表示されていない場合、入力部２が過去に収容情報を受け付けたことがないと制御部１４ｂが判定してもよい。
【００５４】
入力部２が過去に収容情報を受け付けたことがあると制御部１４ｂが判定すると（ステップＳ３１０で、Ｙｅｓ）、処理がステップＳ３２０に移行する。入力部２が過去に収容情報を受け付けたことがないと制御部１４ｂが判定すると（ステップＳ３１０で、Ｎｏ）、処理がステップＳ３５０に移行する。
【００５５】
ステップＳ３２０において、判定部１４ａは、検出部１２の検出結果に基づいて、第ｎトナーが補充されたか否かを判定する。第ｎトナーが補充されるとは、第ｎトナーの残量が所定量よりも多いことを示す。第ｎトナーが補充されていないとは、第ｎトナーの残量が所定量以下であることを示す。
【００５６】
第ｎトナーが補充されたと判定部１４ａが判定すると（ステップＳ３２０で、Ｙｅｓ）、処理がステップＳ３３０に移行する。第ｎトナーが補充されていないと判定部１４ａが判定すると（ステップＳ３２０で、Ｎｏ）、処理がステップＳ３６０に移行する。
【００５７】
ステップＳ３３０において、制御部１４ｂは不足画像の短縮印刷を実行する。不足画像の短縮印刷は、以下の手順で行われる。
【００５８】
まず、第２搬送部５がカセット４に収容されているシートＴを画像形成部６に向けて搬送するように、制御部１４ｂが第２搬送部５を制御する。なお、入力部２が過去に第１収容情報を受け付けていた場合、カセット４は第１カセット４ａを示す。これに対し、入力部２が過去に第２収容情報を受け付けていた場合、カセット４は第２カセット４ｂを示す。
【００５９】
そして、第１カセット４ａから搬送されてきたシートＴに対し画像形成部６が不足画像を形成するように、制御部１４ｂが画像形成部６を制御する。
【００６０】
ステップＳ３４０において、表示部２ａから使用禁止情報の表示を消去するように、制御部１４ｂが表示部２ａを制御する。その結果、処理が終了する。
【００６１】
ステップＳ３５０において、収容指示を示す情報を表示部２ａが表示するように、制御部１４ｂが表示部２ａを制御する。その結果、処理が終了する。収容指示を示す情報は、第１カセット４ａ又は第２カセット４ｂに特定シートを収容するように指示する情報を示す。ユーザーは、表示部２ａを介して収容指示を示す情報を視認することで、第１カセット４ａ又は第２カセット４ｂに特定シートを収容し忘れていたことを認識することができる。
【００６２】
ステップＳ３６０において、補充指示を示す情報を表示部２ａが表示するように、制御部１４ｂが表示部２ａを制御する。その結果、処理が終了する。補充指示を示す情報は、第ｎトナーを補充するように指示する情報を示す。ユーザーは、表示部２ａを介して補充指示を示す情報を視認することで、第ｎトナーを補充し忘れていたことを認識することができる。ユーザーは、例えば、第ｎ装着部７ｎに装着されている第ｎ交換部品αｎを交換することで、第ｎトナーを補充する。
【００６３】
以上、図５を参照して説明したように、不足画像の短縮印刷のジョブを制御部１４ｂが実行する際、第ｎトナーが補充されており、さらに、特定シートがカセット４に収容されていると、画像形成部６が第ｎトナーを消費して特定シートに不足画像を形成するように、制御部１４ｂが画像形成部６を制御する。その結果、シートＴにシート画像が形成される。なお、シート画像は、充足トナーにより形成される充足画像と、第ｎトナーにより形成される不足画像とで構成される。
【００６４】
また、第ｎトナーが不足すると、充足トナーによりシートＴに充足画像が形成される。そして、第ｎトナーの補充後、短縮印刷が実行される際、全ての色のトナーが用いられず、第ｎトナーのみが用いられる。従って、第ｎトナーの補充後、シートＴにシート画像を迅速に形成することが可能になる。
【００６５】
また、第ｎトナーを用いて不足画像を形成することで、第ｎトナーの疑似トナーを用いる場合に比べ、不足画像の品質をより向上させることが可能になる。
【００６６】
［第２実施形態］
次に、図１、図３、図６及び図７を参照して、本発明の第２実施形態を示す画像形成装置１００について説明する。
【００６７】
第２実施形態において、複数の不足画像に対応できる点で第１実施形態と異なる。
【００６８】
第２実施形態では、過去に、第ｎトナーが不足している状態で、第１シート画像〜第Ｍシート画像を印刷するジョブがそれぞれ実行されている。その結果、第１特定シート〜第Ｍ特定シートが生成されている。第１特定シート〜第Ｍ特定シートは、複数の特定シートを示す。第１特定シート〜第Ｍ特定シートには、それぞれ、第１充足画像〜第Ｍ充足画像が形成されている。第１シート画像〜第Ｍシート画像の不足画像は、それぞれ、第１不足画像〜第Ｍ不足画像である。
【００６９】
第１不足画像〜第Ｍ不足画像には、それぞれ、第１パスワード〜第Ｍパスワードが設定されている。第１パスワード〜第Ｍパスワードは、例えば、ユーザーが入力部２を介して設定する。
【００７０】
図１、及び図６を参照して、第２実施形態の画像形成装置１００について説明する。図６は、対応情報１３ａを示す図である。
【００７１】
図１及び図６に示すように、記憶部１３は、対応情報１３ａを記憶する。対応情報１３ａは、第１不足画像〜第Ｍ不足画像と、第１パスワード〜第Ｍパスワードとをそれぞれ対応付けた情報を示す。Ｍは、２以上の整数である。
【００７２】
なお、第２実施形態では、第１実施形態のステップＳ２１０及びステップＳ２２０（図４参照）と同様に、第１カセット４ａに第ｍ特定シートが収容されたことを示す情報を入力部２が受け付けると、表示部２ａに第１使用禁止情報が表示される。また、第２カセット４ｂに第ｍ特定シートが収容されたことを示す情報を入力部２が受け付けると、表示部２ａに第２使用禁止情報が表示される。ｍは、１以上Ｍ以下の整数である。
【００７３】
次に、図７を参照して、制御装置１４の第４の動作について説明する。図７は、制御装置１４の第４の動作を示すフロー図である。過去に、ステップＳ１２０（図３参照）に示す処理が実行されており、第ｍ特定シートが作成されていることを条件に、制御装置１４が第４の動作を行う。
【００７４】
図７に示すように、ステップＳ４００において、入力部２は、第ｍ不足画像の短縮印刷のジョブの入力を受け付ける。第ｍ不足画像の短縮印刷のジョブは、第ｍ特定シートに第ｍ不足画像を形成するジョブを示す。第ｍ不足画像は、第ｍシート画像のうち第ｎトナーを消費して形成される部分の画像を示す。
【００７５】
ステップＳ４１０において、表示部２ａがパスワードの入力画面を表示するように、制御部１４ｂが表示部２ａを制御する。ユーザーは、入力部２を介してパスワードを入力する。
【００７６】
ステップＳ４２０において、制御部１４ｂは、ステップＳ４１０で入力されたパスワードが正しいか否かを判定する。対応情報１３ａ（図６参照）において、第ｍ不足画像には第ｍパスワードが対応する。従って、第ｍパスワードが正しいパスワードである。
【００７７】
第ｍパスワードが入力された場合、パスワードが正しいと制御部１４ｂが判定する。この場合、処理がステップＳ４３０に移行する。
【００７８】
これに対し、第ｍパスワード以外のパスワードが入力された場合、パスワードが正しくないと制御部１４ｂが判定する。この場合、処理がステップＳ４１０に移行する。
【００７９】
ステップＳ４３０において、入力部２が過去に第ｍ１収容情報又は、第ｍ２収容情報を受け付けたことがあるか否かを、制御部１４ｂが判定する。第ｍ１収容情報は、第ｍ特定シートが第１カセット４ａに収容されたことを示す情報である。第ｍ２収容情報は、第ｍ特定シートが第２カセット４ｂに収容されたことを示す情報である。第ｍ１収容情報と第ｍ２収容情報とを総称して、第ｍ収容情報と記載する。
【００８０】
入力部２が過去に第ｍ収容情報を受け付けたことがあると制御部１４ｂが判定すると（ステップＳ４３０で、Ｙｅｓ）、処理がステップＳ４４０に移行する。入力部２が過去に第ｍ収容情報を受け付けたことがないと制御部１４ｂが判定すると（ステップＳ４３０で、Ｎｏ）、処理がステップＳ４７０に移行する。
【００８１】
ステップＳ４４０において、判定部１４ａは、検出部１２の検出結果に基づいて、第ｎトナーが補充されたか否かを判定する。
【００８２】
第ｎトナーが補充されたと判定部１４ａが判定すると（ステップＳ４４０で、Ｙｅｓ）、処理がステップＳ４５０に移行する。第ｎトナーが補充されていないと判定部１４ａが判定すると（ステップＳ４４０で、Ｎｏ）、処理がステップＳ４８０に移行する。
【００８３】
ステップＳ４５０において、制御部１４ｂは第ｍ不足画像の短縮印刷を実行する。第ｍ不足画像の短縮印刷は、以下の手順で行われる。
【００８４】
まず、第２搬送部５がカセット４に収容されているシートＴを画像形成部６に向けて搬送するように、制御部１４ｂが第２搬送部５を制御する。なお、入力部２が過去に第ｍ１収容情報を受け付けていた場合、カセット４は第１カセット４ａを示す。これに対し、入力部２が過去に第ｍ２収容情報を受け付けていた場合、カセット４は第２カセット４ｂを示す。
【００８５】
そして、第１カセット４ａから搬送されてきたシートＴに対し画像形成部６が第ｍ不足画像を形成するように、制御部１４ｂが画像形成部６を制御する。
【００８６】
ステップＳ４６０において、表示部２ａから使用禁止情報の表示を消去するように、制御部１４ｂが表示部２ａを制御する。その結果、処理が終了する。
【００８７】
ステップＳ４７０において、第ｍ収容指示を示す情報を表示部２ａが表示するように、制御部１４ｂが表示部２ａを制御する。その結果、処理が終了する。第ｍ収容指示を示す情報は、第１カセット４ａ又は第２カセット４ｂに第ｍ特定シートを収容するように指示する情報を示す。
【００８８】
ステップＳ４８０において、補充指示を示す情報を表示部２ａが表示するように、制御部１４ｂが表示部２ａを制御する。その結果、処理が終了する。
【００８９】
以上、図７を参照して説明したように、第ｍ不足画像の短縮印刷のジョブを制御部１４ｂが実行する際、第ｎトナーが補充されており、さらに、第ｍ特定シートがカセット４に収容されていると、入力部２が第ｍパスワードの入力を受け付けることで、画像形成部６が第ｍ特定シートに第ｍ不足画像を形成するように、制御部１４ｂが画像形成部６を制御する。その結果、シートＴに第ｍシート画像が形成される。なお、第ｍシート画像は、充足トナーにより形成される第ｍ充足画像と、第ｎトナーにより形成される第ｍ不足画像とで構成される。
【００９０】
また、第ｎトナーが不足すると、充足トナーによりシートＴに第ｍ充足画像が形成される。そして、第ｎトナーの補充後、第ｍ短縮印刷が実行される際、全ての色のトナーが用いられず、第ｎトナーのみが用いられる。従って、第ｎトナーの補充後、シートＴに第ｍシート画像を迅速に形成することが可能になる。
【００９１】
［第３実施形態］
次に、図８を参照して、本発明の第３実施形態を示す画像形成装置１００について説明する。図８は、制御装置１４の第５の動作を示すフロー図である。
【００９２】
第３実施形態では、充足トナーを合成した疑似トナーを使用する場合がある点が第１実施形態と異なる。以下では、主に第１実施形態と異なる点を説明する。
【００９３】
図８に示すように、ステップＳ３１０において、入力部２が過去に収容情報を受け付けたことがあると制御部１４ｂが判定すると（ステップＳ３１０で、Ｙｅｓ）、処理がステップＳ３１１に移行する。
【００９４】
ステップＳ３１１において、制御部１４ｂは、ステップＳ１２０（図３参照）で充足画像を形成してから、所定時間が経過したか否かを判定する。所定時間は、例えば、一般に、第ｎトナーを補充するのにかかる時間を示す。所定時間を示す情報は、予め記憶部１３に記憶される。制御部１４ｂはタイマーの機能を有し、タイマーにより所定時間をカウントする。
【００９５】
所定時間が経過している場合（ステップＳ３１１で、Ｙｅｓ）、処理がステップＳ３１２に移行する。所定時間が経過していない場合（ステップＳ３１１で、Ｎｏ）、処理がステップＳ３２０に移行する。
【００９６】
ステップＳ３１２において、画像形成部６が充足トナーに含まれる複数のトナーを合成して疑似トナーを生成するように、制御部１４ｂが画像形成部６を制御する。その結果、疑似トナーが生成される。疑似トナーは、第ｎトナーの疑似色を発色する。画像形成部６は、例えば、予め決められた配合で複数のトナーを合成して、疑似トナーを生成する。疑似トナーは、第ｎトナーに近似した色を発色する。
【００９７】
ステップＳ３１３において、制御部１４ｂは不足画像の疑似印刷を実行する。不足画像の疑似印刷は、第ｎトナーに代えて疑似トナーを用いる点を除いて、ステップＳ３３０に示す不足画像の短縮印刷と同様の手順で行われる。ステップＳ３１３に示す処理が終了すると、処理がステップＳ３４０に移行する。
【００９８】
以上、図８を参照して説明したように、不足画像の短縮印刷のジョブを制御部１４ｂが実行する際、充足画像が形成されてから所定時間が経過しておらず、第ｎトナーが補充されており、さらに、特定シートがカセット４に収容されていると、画像形成部６が第ｎトナーを消費して特定シートに不足画像を形成するように、制御部１４ｂが画像形成部６を制御する。その結果、シートＴにシート画像が形成される。なお、シート画像は、充足トナーにより形成される充足画像と、第ｎトナーにより形成される不足画像とで構成される。
【００９９】
また、第ｎトナーが不足すると、充足トナーによりシートＴに充足画像が形成される。そして、第ｎトナーの補充後、短縮印刷が実行される際、全ての色のトナーが用いられず、第ｎトナーのみが用いられる。従って、第ｎトナーの補充後、シートＴにシート画像を迅速に形成することが可能になる。
【０１００】
また、不足画像の短縮印刷のジョブを制御部１４ｂが実行する際、充足画像が形成されてから所定時間が経過しており、さらに、特定シートがカセット４に収容されていると、画像形成部６が充足トナーに含まれる複数のトナーを合成して第ｎトナーの疑似色を発色する疑似トナーを生成するように、制御部１４ｂが画像形成部６を制御する。そして、疑似トナーを消費して特定シートに不足画像を形成するように、制御部１４ｂが画像形成部６を制御する。その結果、シートＴにシート画像が形成される。なお、シート画像は、充足トナーにより形成される充足画像と、疑似トナーにより形成される不足画像とで構成される。
【０１０１】
また、充足画像が形成された後、ユーザーが第ｎトナーをすぐに用意できた場合は、第ｎトナーを用いて短縮印刷を実行することが可能になる。これに対し、充足画像が形成された後、ユーザーが第ｎトナーを用意するのに時間がかかるため、第ｎトナーを用意することなく短縮印刷の実行を指示した場合は、疑似トナーを用いて短縮印刷を実行することが可能になる。従って、ユーザーの都合に合わせて短縮印刷の内容を柔軟に変更することが可能になる。
【０１０２】
［第４実施形態］
次に、図９から図１１を参照して、本発明の第４実施形態を示す画像形成装置１００について説明する。
【０１０３】
第４実施形態では、不足画像を形成する際、第ｎトナーと疑似トナーとを併用する点が第１実施形態と異なる。以下では、主に第１実施形態と異なる点を説明する。
【０１０４】
図９及び図１０を参照して、制御装置１４の第６の動作について説明する。図９は、制御装置１４の第６の動作を示すフロー図である。図１０は、画像特定シートＵを示す図である。
【０１０５】
図９及び図１０に示すように、ステップＳ１２０において、画像形成部６が充足トナーを消費してシートＴに充足画像Ｘを形成するように、制御部１４ｂが画像形成部６を制御する。ステップＳ１２０に示す処理が終了すると、処理がステップＳ１２１に移行する。
【０１０６】
ステップＳ１２１において、画像形成部６が充足トナーに含まれる複数のトナーを合成して疑似トナーを生成するように、制御部１４ｂが画像形成部６を制御する。その結果、疑似トナーが生成される。
【０１０７】
ステップＳ１２２において、画像形成部６が疑似トナーを消費してシートＴに第１画像Ｙ１を形成するように、制御部１４ｂが画像形成部６を制御する。その結果、シートＴに充足画像Ｘと第１画像Ｙ１とが形成される。
【０１０８】
充足画像Ｘと第１画像Ｙ１とが形成されたシートＴを、画像特定シートＵと記載する。画像特定シートＵが形成されると処理が終了する。
【０１０９】
なお、第１画像Ｙ１は、不足画像Ｙのうち境界Ｚの内側、及び境界Ｚ上に形成される画像を示す。不足画像Ｙは、シート画像Ｗのうち第ｎトナーを消費して形成される部分の画像を示す。つまり、シートＴに対しシート画像Ｗを形成するジョブにおいて、不足画像Ｙは、第ｎトナーを消費して形成するように指示される部分の画像を示す。境界Ｚは、充足画像Ｘから所定の距離Ｄだけ離間した場所に位置する。所定の距離Ｄの大きさは、予め決められている。第４実施形態では、不足画像Ｙのうち第１画像Ｙ１の部分は、第ｎトナーを用いることなく疑似トナーを用いて形成される。
【０１１０】
なお、第４実施形態では、第１実施形態のステップＳ２１０及びステップＳ２２０（図４参照）と同様に、第１カセット４ａに画像特定シートＵが収容されたことを示す情報を入力部２が受け付けると、表示部２ａに第１使用禁止情報が表示される。また、第２カセット４ｂに画像特定シートＵが収容されたことを示す情報を入力部２が受け付けると、表示部２ａに第２使用禁止情報が表示される。
【０１１１】
次に、図１０及び図１１を参照して、制御装置１４の第７の動作について説明する。図１１は、制御装置１４の第７の動作を示すフロー図である。過去に、ステップＳ１２２（図９参照）に示す処理が実行されており、画像特定シートＵが作成されていることを条件に、制御装置１４が第７の動作を行う。
【０１１２】
図１０及び図１１に示すように、ステップＳ３０１において、入力部２は、第２画像Ｙ２の短縮印刷のジョブの入力を受け付ける。第２画像Ｙ２の短縮印刷のジョブは、画像特定シートＵに対し第２画像Ｙ２を形成するジョブを示す。第２画像Ｙ２は、不足画像Ｙのうち境界Ｚの外側に形成される画像を示す。つまり、不足画像Ｙは、第１画像Ｙ１と第２画像Ｙ２とで構成される。
【０１１３】
ステップＳ３１２において、入力部２が過去に収容情報を受け付けたことがあるか否かを、制御部１４ｂが判定する。なお、ステップＳ３１２の第１収容情報は、第１カセット４ａに画像特定シートＵが収容されたことを示す情報である。また、ステップＳ３１２の第２収容情報は、第２カセット４ｂに画像特定シートＵが収容されたことを示す情報である。
【０１１４】
ステップＳ３１２でＹＥＳ，さらに、ステップＳ３２０でＹＥＳの場合、処理がステップＳ３３１に移行する。
【０１１５】
ステップＳ３３１において、制御部１４ｂは第２画像Ｙ２の短縮印刷を実行する。第２画像の短縮印刷は、不足画像に代えて第２画像Ｙ２を形成する点を除いて、ステップＳ３３０（図５参照）に示す不足画像の短縮印刷と同様の手順で行われる。従って、ステップＳ３１２の収容情報が第１収容情報の場合、第２画像の短縮印刷において、第１カセット４ａに収容されているシートＴに対し第２画像Ｙ２を形成するジョブが実行される。これに対し、ステップＳ３１２の収容情報が第２収容情報の場合、第２画像の短縮印刷において、第２カセット４ｂに収容されているシートＴに第２画像Ｙ２を形成するジョブが実行される。また、第２画像の短縮印刷では、第ｎトナーを用いて第２画像Ｙ２が形成される。
【０１１６】
ステップＳ３３１に示す処理が終了すると、処理がステップＳ３４０に移行する。
【０１１７】
以上、図１０及び図１１を参照して説明したように、画像形成ジョブを制御部１４ｂが実行する際、第ｎトナーが不足していると、画像形成部６が充足トナーと疑似トナーとを消費して、シートＴに充足画像Ｘと第１画像Ｙ１とを形成するように、制御部１４ｂが画像形成部６を制御する。また、第２画像Ｙ２の短縮印刷のジョブを制御部１４ｂが実行する際、第ｎトナーが補充されており、さらに、画像特定シートＵがカセット４に収容されていると、画像形成部６が第ｎトナーを消費して画像特定シートＵに第２画像Ｙ２を形成するように、制御部１４ｂが画像形成部６を制御する。その結果、シートＴにシート画像Ｗが形成される。なお、シート画像Ｗは、充足トナーにより形成される充足画像Ｘと、疑似トナーにより形成される第１画像Ｙ１と、第ｎトナーにより形成される第２画像Ｙ２とで構成される。
【０１１８】
また、第ｎトナーが不足すると、充足トナーと疑似トナーとによりシートＴに充足画像Ｘと第１画像Ｙ１とが形成される。そして、第ｎトナーの補充後、短縮印刷が実行される際、全ての色のトナーが用いられず、第ｎトナーのみが用いられる。従って、第ｎトナーの補充後、シートＴにシート画像を迅速に形成することが可能になる。
【０１１９】
また、第ｎトナーにより第２画像Ｙ２を形成される領域が境界Ｚの外側の領域に制限される。従って、第ｎトナーの補充後、シートＴにシート画像をより迅速に形成することが可能になる。
【０１２０】
また、充足画像Ｘの印刷と第１画像Ｙ１の印刷とを同時に行うことで、充足画像Ｘに対し第１画像Ｙ１の位置がずれることを抑制することができる。
【０１２１】
以上、図面（図１〜図１１）を参照しながら本発明の実施形態について説明した。但し、本発明は、上記の実施形態に限られるものではなく、その要旨を逸脱しない範囲で種々の態様において実施することが可能である（例えば、（１）〜（６））。また、上記の実施形態に開示されている複数の構成要素を適宜組み合わせることによって、種々の発明の形成が可能である。例えば、実施形態に示される全構成要素から幾つかの構成要素を削除してもよい。図面は、理解しやすくするために、それぞれの構成要素を主体に模式的に示しており、図示された各構成要素の個数等は、図面作成の都合から実際とは異なる場合もある。また、上記の実施形態で示す各構成要素は一例であって、特に限定されるものではなく、本発明の効果から実質的に逸脱しない範囲で種々の変更が可能である。
【０１２２】
（１）第１実施形態、及び第３実施形態では、不足画像の短縮印刷（図５参照）が実行される際、特定シートがカセット４に収容される。しかし、本発明は、これに限定されない。特定シートが中間トレイに収容されてもよい。この場合、不足画像の短縮印刷が実行される際、中間トレイに収容されている特定シートが画像形成部６に搬送され、画像形成部６が特定シートに不足画像を形成する。
【０１２３】
中間トレイについて説明する。中間トレイは、本発明の収容部の２例である。中間トレイは、両面印刷を行うことができる画像形成装置１００に備えられる。中間トレイは、画像形成部６を通過したシートＴを画像形成部６に戻す案内部に設けられる。中間トレイは、案内部を搬送されるシートＴを溜める。つまり、案内部を搬送されるシートＴは、中間トレイに一旦溜められる。そして、案内部により中間トレイから画像形成部６に搬送される。案内部は、例えば、案内ローラーと、案内ローラーを回転させる案内駆動源とを含む。案内駆動源は、例えば、モーター、及びギアを含む。
【０１２４】
カセット４に代えて中間トレイを用いることで、ユーザーが排出トレイからカセット４に特定シートを移動させる手間を省くことが可能になる。
【０１２５】
（２）第２実施形態では、第ｍ不足画像の短縮印刷（図７参照）が実行される際、第ｍ特定シートがカセット４に収容される。しかし、本発明は、これに限定されない。第ｍ特定シートが中間トレイに収容されてもよい。
【０１２６】
（３）第４実施形態では、第２画像の短縮印刷（図１１参照）が実行される際、画像特定シートＵがカセット４に収容される。しかし、本発明は、これに限定されない。画像特定シートＵが中間トレイに収容されてもよい。
【０１２７】
（４）画像形成部６がシートＴに充足画像を形成した後、第２搬送部５に含まれるローラーが逆回転して充足画像が形成されたシートＴをカセット４に戻すように、制御部１４ｂが画像形成部６と第２搬送部５とを制御してもよい。その結果、ユーザーが排出トレイからカセット４に特定シートを移動させる手間を省くことが可能になる。なお、ローラーが逆回転するとは、カセット４に収容されているシートＴを画像形成部６に向けて搬送するときとは反対の方向にローラーが回転することを示す。
【０１２８】
（５）画像形成部６がシートＴに充足画像と第１画像とを形成した後、第２搬送部５に含まれるローラーが逆回転して充足画像と第１画像とが形成されたシートＴをカセット４に戻すように、制御部１４ｂが画像形成部６と第２搬送部５とを制御してもよい。
【０１２９】
（６）第ｎトナーは黒色を発色するトナーであり、充足トナーは黒色以外の色を発色するトナーであってもよい。従って、黒色のトナーが不足しても、黒色のトナーの補充後、シートＴにシート画像を迅速に形成することが可能になる。
【産業上の利用可能性】
【０１３０】
本発明は、画像形成装置の分野に利用可能である。
【符号の説明】
【０１３１】
Ｔ      シート
１００  画像形成装置
４      収容部
６      画像形成部
１２    検出部
１４ａ  判定部
１４ｂ  制御部
２      入力部
２ａ    表示部
１３    記憶部
１３ａ  対応情報
Ｗ      シート画像
Ｘ      充足画像
Ｙ      不足画像
Ｙ１    第１画像
Ｙ２    第２画像
Ｚ      境界
【図１】
2019124779.tif 000003
【図２】
2019124779.tif 000004
【図３】
2019124779.tif 000005
【図４】
2019124779.tif 000006
【図５】
2019124779.tif 000007
【図６】
2019124779.tif 000008
【図７】
2019124779.tif 000009
【図８】
2019124779.tif 000010
【図９】
2019124779.tif 000011
【図１０】
2019124779.tif 000012
【図１１】
2019124779.tif 000013